(57)【要約】【課題】AV機器の製造コストを引き上げることなく、リモートコントロールユニットによる設定操作を容易にすること。【解決手段】AV機器の設定操作のために使用する当該リモートコントロールユニットのキーパッドパターンを設定画面に表示する手段を含ませる。【選択図】  図１
2005269249.tif 000002
【特許請求の範囲】
【請求項１】
ディスプレーモニター及びリモートコントロールユニットを有するAV機器であって、
当該リモートコントロールユニットの使用によりユーザーが当該AV機器の設定操作を行うための設定画面を当該ディスプレーモニターに表示する手段、及び当該設定画面に当該AV機器の設定操作のために使用する当該リモートコントロールユニットのキーパッドパターンを表示する手段を含む上記AV機器。
【請求項２】
当該表示されたキーパッドにおいて、当該AV機器の設定操作のために使用するキーをマーキング表示する手段を有する請求項１に記載のAV機器。
【発明の詳細な説明】
【技術分野】
【０００１】
この発明は、AV機器に、特に、ディスプレーモニター及びリモートコントロールユニットを有するAV機器に関する。
【背景技術】
【０００２】
従来より、AV機器、たとえば、テレビ受信機は、ユーザー設定画面を表示できる。この設定画面によって、ユーザーは、リモートコントロールユニットを使って、そのテレビ受信機の映像、音声、チャンネルなどの種々の条件を、ユーザーのAV機器の使用状況に最も適するように、設定することができる。
【０００３】
設定の種類も多くなる場合、ひとつのリモートコントロールユニットを使用してユーザーは、数多くの設定を行わなければならないので、ユーザーにとって容易でなくなる場合がある。
【０００４】
リモートコントロールユニットによる設定操作を容易にするために、特許文献１では、リモートコントロールユニットに、そのキー操作を知らせるガイド手段を持たせた試みがなされている。しかし、この提案は、AV機器にリモートコントロールユニットとの双方向通信を行う手段を必要としており、追加のハードウェアが必要となり、AV機器の製造コストを引き上げる。
【０００５】
【特許文献１】特開２００３−１４３４３５号公報
【発明の開示】
【発明が解決しようとする課題】
【０００６】
この発明の課題は、AV機器の製造コストを引き上げることなく、リモートコントロールユニット（以下「リモコン」と略称する）による設定操作を容易にすることである。
【課題を解決するための手段】
【０００７】
この課題は、ディスプレーモニター及びリモコンを有するAV機器であって、このリモコンの使用によりユーザーがAV機器の設定操作を行うための設定画面を当該ディスプレーモニターに表示する手段、及びこの設定画面にこのAV機器の設定操作のために使用するリモコンのキーパッドパターンを表示する手段を含む上記AV機器によって達成される。また、この課題は、表示されたキーパッドにおいて、当該AV機器の設定操作のために使用するキーをマーキング表示する手段を有するAV機器によっても達成される。
【発明の効果】
【０００８】
この発明が提供する手段によって、ユーザーは、AV機器のパラメーターを最適に設定する設定画面において、リモートコントロールのどのキーを使用すべきかを認知できるようにガイドされるので、容易に設定をおこなうことができる。
【発明を実施するための最良の形態】
【０００９】
この発明の実施例は図１にブロック図で示されるようにディスプレーモニター４００、リモコン２００と、AV機器の種々の設定をユーザーが行うことができる設定画面をディスプレーモニター４００に表示させる映像信号処理IC３００と、当該映像信号処理IC３００をそのように制御するオンスクリーンディスプレー表示部１０３を含むマイクロコンピュータ１００を有する。当該設定画面で、AV機器の設定を当該リモートコントロールを使ってユーザーが行うために、マイクロコンピュータ１００は、リモコン２００から信号を判別する判別部１０１と当該オンスクリーンディスプレー表示部１０３を制御する指示部１０２を有する。
【００１０】
当該リモコン２００は、図２のようなキーレイアウトを持つキーパッド２１０を持つ。このパッドには、図示のレイアウトには、電源ボタン４、外部接続ボタン５、表示ボタン６、スリープキー７、ミュートキー８、上下左右方向移動キー９、１０、１２、及び１３、メニューキー１４、及び決定キー１１が含まれている。
【００１１】
この図１のマイクロコンピュータ１００は、このリモコン２００の使用によりユーザーがこのAV機器の設定操作を行うための設定画面４１０（４１０A、４１０B,  ４１０C）をディスプレーモニター４００に表示するようにプログラムされている。この設定画面４１０（４１０A、４１０B,  ４１０C）には、設定のための選択肢を表示する選択肢表示部分４１２（４１２A、４１２B,  ４１２C）、その選択をリモコン２００でユーザーがどのように行うかをガイドするガイド部分４１３（４１３A、４１３B,  ４１３C）と、リモコン２００のキーパッドパターン４１１（４１１A、４１１B,  ４１１C）を表示する。なお図３では、この設定画面はディスプレーモニター４００の一部に子画面として表示されているが、ディスプレーモニター４００に画面全体を表示することも当然可能である。
【００１２】
ユーザーがある時点でリモコン２００のメニューボタン１４を押すと、たとえば、図３に示すような設定画面４１０が表示される。設定画面４１０において、選択肢表示部分４１２によって、どのような種類の設定を行うかをユーザーは選択できる。その選択のガイドがガイド部分４１３によって表示される。すなわち、ユーザーは上下方向移動キーによってカーソルを移動させて、希望する種類の設定にカーソルを移動させた後、決定キーを押して、設定の種類を選択できることを認知させる。このとき、これらの表示に並列して表示されるリモコン２００のキーパッドパターン４１１において、そのガイド表示によってユーザーの選択に使用できるキーが選択的にハイライト付きでマーキング表示される。図では、黒色にそられのキーが示されている。すなわち、使用できないキーとは異なる色彩で、または、使用できないキーとは識別できる明度で表示したりする。あるいは、使用できるキーのみを点滅させてもよい。
【００１３】
ここで、ユーザーがリモコン２００の下方向移動キー１０を一度押すと、図4のように音声設定を選択する設定画面４１０Aが表示される。この設定画面４１０Aのキーパッドパターン４１１Aにおいては、先の設定画面４１０のキーパッドパターン４１１ではマーキング表示されなかった上方向移動キーがマーキング表示される。この設定画面４１０Aでは、上方向移動キーを使って、上に表示されている「映像設定」に選択を移動できるからである。
【００１４】
ここで、決定キー１１を押すと、図５のような、音声設定の設定画面４１０Bが表示される。この設定画面では、選択肢表示部分４１２Bで高音、低音、バランス、サラウンド・オンオフを設定できる。そのためのリモコンキーの使用ガイドがガイド部４１３Bに表示され、その時使用できるリモコンのキーがキーパッドパターン４１１Bにおいてマーキング表示されている。高音が選択されている設定画面４１０Bでは、左右方向移動キーでその音量を選択できる。
【００１５】
ここで、下方向移動キー１０を押して、低音の設定を選択すれば、設定画面４１０Cの表示が得られる。この設定画面でも、選択肢表示部分４１２Cで音声設定の項目が表示され、ガイド部分４１３Cで設定を行うために使用できるリモコンキーが文字でガイドされ、キーパッドパターン４１１Cでその設定画面で使用できるリモコンキーがマーキング表示される。
【００１６】
この発明の実施例によって表示される上述した設定画面は、いずれも、その設定画面において使用できるリモコンキーがキーパッドパターンにおいてマーキング表示されるリモコンキーパッドパターンが表示されるので、ユーザーは、容易に、AV機器の設定作業を実行できるAV機器が得られるという産業上適応性がある。
【図面の簡単な説明】
【００１７】
【図１】この発明の実施例を示すブロック図、
【図２】この発明の実施例のリモコンのキーパッドを示す模式図、
【図３】この発明の実施例が作る設定画面を表示するディスプレーを示す模式図、
【図４】この発明の実施例が作る設定画面を示す模式図、
【図５】この発明の実施例が作る他の設定画面を示す模式図、
【図６】この発明の実施例が作る更に他の設定画面を示す模式図。
【符号の説明】
【００１８】
４００  ディスプレーモニター
２００  リモコン
３００  映像信号処理IC
１０３  オンスクリーンディスプレー表示部
１００  マイクロコンピュータ
４１０（４１０A、４１０B,  ４１０C）  設定画面
４１２（４１２A、４１２B,  ４１２C）  選択肢表示部分
４１３（４１３A、４１３B,  ４１３C）  ガイド部分
４１１（４１１A、４１１B,  ４１１C）  リモコンのキーパッドパターン
【図１】
2005269249.tif 000003
【図２】
2005269249.tif 000004
【図３】
2005269249.tif 000005
【図４】
2005269249.tif 000006
【図５】
2005269249.tif 000007
【図６】
2005269249.tif 000008